(57)【要約】【課題】封書において封筒の窓部から見える内容物の印刷画像の視認性の低下を抑制することが可能な画像処理装置を提供する。【解決手段】  フィルムＦが取り付けられた窓部Ｐ３ａを備えた封筒Ｐ３に封入される内容物用紙Ｐ１に印刷する印刷画像データを生成する画像処理装置であって、内容物用紙Ｐ１が封筒Ｐ３に封入された際に窓部Ｐ３ａに対向する内容物用紙Ｐ１の窓領域Ｐ１ａの位置を示す窓位置データを取得する窓位置取得部１５ａと、内容物用紙Ｐ１に記載する画像を示す画像データを取得する画像取得部１５ｂと、画像データに示される画像において、窓位置データが示す窓領域Ｐ１ａに位置する窓部画像のコントラストを増加させた印刷画像データを生成する印刷画像生成部１５ｃと、を備える。【選択図】  図２
2018072864.tif 000002
【特許請求の範囲】
【請求項１】
フィルムが取り付けられた窓部を備えた封筒に封入される内容物に印刷する印刷画像データを生成する画像処理装置であって、
前記内容物が前記封筒に封入された際に前記窓部に対向する前記内容物の窓領域の位置を示す窓位置データを取得する窓位置取得部と、
前記内容物に記載する画像を示す画像データを取得する画像取得部と、
前記画像データに示される前記画像において、前記窓位置データが示す前記窓領域に位置する窓部画像のコントラストを増加させた前記印刷画像データを生成する印刷画像生成部と、を備える
ことを特徴とする画像処理装置。
【請求項２】
前記印刷画像生成部は、プリンタドライバにより設定された印刷濃度を前記コントラストとし、前記印刷濃度を１段階濃くさせた前記印刷画像データを生成する
ことを特徴とする請求項１に記載の画像処理装置。
【請求項３】
前記印刷画像生成部は、前記フィルムの厚さを示す厚さデータを取得するとともに、前記厚さデータに基づいて、前記窓部画像のコントラストの増加量を変更させた前記印刷画像データを生成する
ことを特徴とする請求項１又は２に記載の画像処理装置。
【発明の詳細な説明】
【技術分野】
【０００１】
本発明は、フィルムが取り付けられた窓部を備えた封筒に封入される内容物に印刷する印刷画像データを生成する画像処理装置に関する。
【背景技術】
【０００２】
従来、公共機関からの各種通知書やダイレクトメールなどの種々の書類を送付する際に、窓部を設けた封筒（所謂、窓付封筒）を用いた封書が広く利用されている。
【０００３】
かかる封書では、封筒の正面の一部に切り欠いて、そこに透明性を有するフィルムを取り付けて窓部を設け、この窓部から、封筒を開封しなくとも内容物に印刷された差出元や宛先などの印刷画像を視認できるようにしている。
【０００４】
また、このような封書を生成するため、端末装置から送信されたジョブデータに基づいて、封筒用紙及び内容物用紙に印刷を行う印刷装置と、封筒用紙から封筒を形成するとともに、印刷済みの内容物用紙を収納した状態で封筒を封緘して封書を作製する封入封緘装置とを備える封書作製システムが活用されている（例えば、特許文献１参照）。このような封書作製システムの活用により、封書の作製がより容易になっている。
【先行技術文献】
【特許文献】
【０００５】
【特許文献１】特開２０１６−３０３３６号公報
【発明の概要】
【発明が解決しようとする課題】
【０００６】
ところで、封筒の窓部には、必ずしも視認し易い透明性の高いフィルムが貼り付けられているとは限らない。例えば、透明性の低い半透明のフィルムが貼着される場合や、厚いフィルムが取り付けられる場合には、封筒の窓部から見える内容物の印刷画像の視認性が低下するおそれがある。
【０００７】
また、封筒の窓部は、差出元、宛先等の情報や、内容物がどのようなものであるか等を容易に把握できるように設けられているため、窓部から見える印刷画像の視認性が低下してしまうと、窓部を設けることによる本来の機能が損なわれてしまうことから、視認性の低下を抑制するための対策が強く望まれていた。
【０００８】
本発明は、このような状況に鑑みてなされたものであり、封書において封筒の窓部から見える内容物の印刷画像の視認性の低下を抑制することが可能な画像処理装置を提供することを目的とする。
【課題を解決するための手段】
【０００９】
上記目的を達成するため、本発明に係る画像処理装置の第１の特徴は、フィルムが取り付けられた窓部を備えた封筒に封入される内容物に印刷する印刷画像データを生成する画像処理装置であって、前記内容物が前記封筒に封入された際に前記窓部に対向する前記内容物の窓領域の位置を示す窓位置データを取得する窓位置取得部と、前記内容物に記載する画像を示す画像データを取得する画像取得部と、前記画像データに示される前記画像において、前記窓位置データが示す前記窓領域に位置する窓部画像のコントラストを増加させた前記印刷画像データを生成する印刷画像生成部と、を備えることにある。
【００１０】
本発明に係る画像処理装置の第２の特徴は、上記特徴に係り、前記印刷画像生成部は、プリンタドライバにより設定された印刷濃度を前記コントラストとし、前記印刷濃度を１段階濃くさせた前記印刷画像データを生成することにある。
【００１１】
本発明に係る画像処理装置の第３の特徴は、上記特徴に係り、前記印刷画像生成部は、前記フィルムの厚さを示す厚さデータを取得するとともに、前記厚さデータに基づいて、前記窓部画像のコントラストの増加量を変更させた前記印刷画像データを生成することにある。
【発明の効果】
【００１２】
本発明に係る画像処理装置の第１の特徴によれば、窓位置取得部は、封筒の窓部に対向する内容物用紙の窓領域の位置を示す窓位置データを取得し、画像取得部は、内容物に記載する画像を示す画像データを取得する。そして、印刷画像生成部は、内容物において窓部に対向する窓領域に位置する窓部画像のコントラスト（濃度差）を増加させた印刷画像データを生成する。例えば、印刷画像生成部は、プリンタドライバにより設定された印刷濃度をコントラストとし、当該印刷濃度を１段階濃くさせた印刷画像データを生成する（第２の特徴）。これにより、印刷画像データに基づいて印刷される印刷画像における窓部画像が強調されるため、封書において封筒の窓部から見える内容物の印刷画像（窓部画像）の視認性の低下を抑制することができる。
【００１３】
本発明に係る画像処理装置の第３の特徴によれば、印刷画像生成部は、フィルムの厚さデータに基づいて、窓部画像のコントラスト（濃度差）の増加量を変更させた印刷画像データを生成する。これにより、例えば、フィルムの厚さが厚い場合には、コントラストの増加量を大きくして、窓部画像を一層強調することも可能であるため、厚いフィルムによって、封筒の窓部から見える内容物の印刷画像（窓部画像）の視認性が低下することをより確実に抑制できる。
【図面の簡単な説明】
【００１４】
【図１】本発明の第１実施形態に係る封書作製システムの概略構成図である。
【図２】本発明の第１実施形態に係る封書作製システムの機能を示すブロック図である。
【図３】本発明の第１実施形態に係る端末装置の動作を示すフローチャートである。
【図４】（ａ）本発明の第１実施形態に係る封筒を説明するための概略平面図である。（ｂ）本発明の第１実施形態に係る内容物用紙を説明するための概略平面図である。（ｃ）本発明の第１実施形態に係る内容物用紙を説明するための概略平面図である。
【図５】本発明の第１実施形態に係る端末装置に記憶されるテーブルの一例を示す図である。
【図６】本発明の第１実施形態に係る封書を説明するための概略平面図である。
【図７】本発明の第１実施形態の変形例に係る端末装置に記憶されるテーブルの一例を示す図である。
【発明を実施するための形態】
【００１５】
以下、本発明の実施形態に係る封書作製システムについて、図面を参照しながら詳細に説明する。また、以下に示す実施形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１６】
［第１実施形態］
＜封書作製システムの構成＞
図１は、本発明の第１実施形態に係る封書作製システム１の概略構成図である。以下の説明において、図１の紙面表方向を前方とし、図１の上下左右を上下左右方向とする。
【００１７】
図１に示すように、本実施形態に係る封書作製システム１は、封筒用紙Ｐ２や内容物となる内容物用紙Ｐ１に印刷を施した後に封筒用紙Ｐ２で内容物を封入封緘してシート成形物である封書を作製する。なお、図１において矢印で示す経路が、封入封緘装置３０において封筒用紙Ｐ２が搬送される搬送経路である。
【００１８】
封筒用紙Ｐ２には、一部を切り欠いて、そこに透明性を有するフィルムが取り付けられた窓部を備えている。封入封緘装置３０は、封筒用紙Ｐ２を折りたたむことで、窓部を設けた窓付封筒を形成する。
【００１９】
本実施形態に係る封書作製システム１では、窓付封筒に内容物となる内容物用紙Ｐ１を封入封緘することにより、窓付封筒の窓部から、内容物となる内容物用紙Ｐ１に印刷された差出元や宛先などの印刷画像を視認できる。なお、以下において、内容物を内容物用紙Ｐ１とし、窓付封筒を封筒として適宜説明する。
【００２０】
本実施形態に係る封書作製システム１は、端末装置１０と、印刷装置２０と、封入封緘装置３０とを備える。
【００２１】
端末装置１０は、内容物用紙Ｐ１に印刷される印刷画像を示す印刷画像データや、封筒用紙Ｐ２に印刷される封筒画像を示す印刷画像データを含むジョブデータを印刷装置２０に送信する。なお、端末装置１０の詳細な構成は、後述する（図２参照）。
【００２２】
印刷装置２０は、封筒用紙Ｐ２及び内容物用紙Ｐ１を印刷して排出するものである。印刷装置２０は、給紙部１１１と、印刷部１１４と、送出部１１５と、排紙部１１６と、反転部１１７と、統括制御部１１８と、を備えている。
【００２３】
給紙部１１１は、各部を収納する筐体の内部又は側面等に設けられており、内容物用紙Ｐ１や封筒用紙Ｐ２を収納するものである。
【００２４】
印刷部１１４は、導入路１１２からの内容物用紙Ｐ１及び封筒用紙Ｐ２を搬送するループ状の搬送経路１１３、シアン（Ｃ）、ブラック（Ｋ）、マゼンタ（Ｍ）、イエロー（Ｙ）の各色のインクをそれぞれ吐出する４つのインクジェットヘッドＣ、Ｋ、Ｍ、Ｙからなり、内容物用紙Ｐ１及び封筒用紙Ｐ２に印刷するものである。
【００２５】
送出部１１５は、内容物用紙Ｐ１及び封筒用紙Ｐ２を封入封緘装置３０に排出するものである。また、排紙部１１６は、内容物用紙Ｐ１及び封筒用紙Ｐ２をループ外に排出するものである。
【００２６】
反転部１１７は、搬送経路１１３を搬送されてきた内容物用紙Ｐ１及び封筒用紙Ｐ２を受け入れた後に逆行させて搬送経路１１３に戻して内容物用紙Ｐ１の上下を反転させるものである。
【００２７】
統括制御部１１８は、封書作製システム１の各部を統括制御するものである。統括制御部１１８は、印刷装置２０全体の動作を制御するとともに、封入封緘装置３０全体の動作を制御する。統括制御部１１８は、ＣＰＵ、ＲＡＭ、ＲＯＭ、ハードディスク等を備えて構成される。統括制御部１１８は、制御プログラムを読込んだＣＰＵによって制御する機能を実現する。
【００２８】
統括制御部１１８は、端末装置１０との間で各種データを送受信する。例えば、統括制御部１１８は、端末装置１０からジョブデータを受信すると、ジョブデータに基づいて、封書作製システム１の各部を制御して、内容物用紙Ｐ１や封筒用紙Ｐ２に印刷処理を実行する。
【００２９】
封入封緘装置３０は、印刷装置２０で印刷された封筒用紙Ｐ２から窓付封筒を形成し、印刷装置２０で印刷された内容物用紙Ｐ１を窓付封筒に収納して封書を作製する。図１に示すように、封入封緘装置３０は、内容物折畳部１２１と、封筒形成部１２３と、封緘部１２６と、排出部１２７と、を備えている。
【００３０】
内容物折畳部１２１は、印刷装置２０から送られてきた印刷済みの内容物用紙Ｐ１を整合し、整合された内容物用紙Ｐ１を必要に応じて折り畳む機構である。
【００３１】
封筒形成部１２３は、印刷装置２０から送られてきた印刷済みの封筒用紙Ｐ２から封筒を形成しつつ、内容物用紙Ｐ１を封筒に収納するとともに、封筒用紙Ｐ２の所定位置に設けられた再湿糊に水を塗布し、封筒用紙Ｐ２を折り曲げつつ所定位置の対向面を接着させることで封筒を形成する。
【００３２】
具体的に、封筒形成部１２３は、封筒となる封筒用紙Ｐ２を搬送しながら内容物を包み込むように封入するとともに、水塗布処理部１２４で、内容物を封入した封筒用紙Ｐ２に形成された再湿糊部に水塗布部１２４ａで水を塗布し、紙折部１２５において水塗布後の封筒用紙Ｐ２を搬送しながら折り線に沿って所定の折り処理を施す。なお、封筒形成部１２３には、４つ折り封筒を形成する場合に使用する機構である折部１２２が接続されている。また、封筒が３つ折り封筒である場合には、折部１２２は使用せず、封筒形成部１２３で折りと封入を同時に行うこととなる。
【００３３】
封緘部１２６は、封筒形成部１２３で形成された、内容物用紙Ｐ１を収納した封筒を封緘して封書を完成させる。封緘部１２６では、封筒の感圧接着剤同士を圧着することで封緘することもできる。排出部１２７は、封緘処理された封書を装置筐体外部まで上昇搬送させた後、排出トレイ１２７ａまで水平に排出搬送する。
【００３４】
＜端末装置の構成＞
次に、端末装置１０の構成について具体的に説明する。図２は、封書作製システム１の機能を示すブロック図である。
【００３５】
図２に示すように、端末装置１０は、通信部１１と、記憶部１２と、入力操作部１３と、表示部１４と、端末制御部１５とを備える。
【００３６】
通信部１１は、印刷装置２０との間における通信インターフェースである。通信部１１は、ネットワーク等の通信回線を介して、印刷装置２０との間で各種データを送受信する。
【００３７】
記憶部１２は、ＨＤＤ（Ｈａｒｄ Ｄｉｓｋ Ｄｒｉｖｅ）等からなる。記憶部１２は、端末装置１０における各種データや各種のプログラム等を記憶する。
【００３８】
入力操作部１３は、キーボードやマウスなどを備えており（いずれも不図示）、ユーザからの入力操作を受け付ける。また、表示部１４は、所定画像を表示するディスプレイである。
【００３９】
端末制御部１５は、端末装置１０の各部を制御する。端末制御部１５は、ＣＰＵ、ＲＡＭ、ＲＯＭ、ハードディスク等を備えて構成される。端末制御部１５は、制御プログラムを読込んだＣＰＵによって制御する機能を実現する。なお、端末制御部１５は、特許請求の範囲に記載の画像処理装置を構成する。
【００４０】
端末制御部１５は、画像取得部１５ｂと、窓位置取得部１５ａと、印刷画像生成部１５ｃとを備える。
【００４１】
窓位置取得部１５ａは、窓位置データを取得する。窓位置データとは、内容物用紙Ｐ１が封筒に封入された際に窓部に対向する内容物用紙Ｐ１の窓領域の位置を示すものである。窓位置データは、予め規定されて記憶部１２に記憶されており、窓位置取得部１５ａは、記憶部１２から窓位置データを取得する。
【００４２】
画像取得部１５ｂは、封筒に封入される内容物用紙Ｐ１に記載する画像を示す画像データを取得する。画像取得部１５ｂは、記憶部１２から画像データを取得する。
【００４３】
印刷画像生成部１５ｃは、画像データに基づいて、内容物用紙Ｐ１に印刷する印刷画像データを生成する。具体的に、印刷画像生成部１５ｃは、画像データに示される画像において、窓位置データが示す窓領域に位置する窓部画像のコントラストを増加させた印刷画像データを生成する。
【００４４】
ここで、コントラストとは、濃度差であり、内容物用紙Ｐ１の用紙濃度（地肌濃度）と、インクにより印刷される印刷濃度との差を示すものである。例えば、内容物用紙Ｐ１が白色であり、窓部画像が黒色である場合、印刷画像生成部１５ｃは、コントラストを増加させるために、黒色の印刷濃度を濃くした窓部画像を含む印刷画像データを生成する。
【００４５】
＜端末装置の動作＞
次に、端末装置１０の動作について説明する。図３は、端末装置１０が内容物用紙Ｐ１に印刷する印刷画像データを生成する際の動作を示すフローチャートである。なお、以下に示す動作は、ユーザからの入力操作部１３への指示に応じて実行する。また、端末装置１０は、封筒用紙Ｐ２に印刷する印刷画像データを生成することも可能であるが、ここでは、説明を省略する。
【００４６】
まず、ステップＳ１１において、端末装置１０では、窓位置取得部１５ａは、記憶部１２から窓位置データを取得する。
【００４７】
ここで、図４（ａ）には、内容物用紙Ｐ１を封入する前の封筒Ｐ３の概略平面図が例示されており、図４（ｂ）には、封筒Ｐ３に封入される内容物用紙Ｐ１の概略平面図が例示されている。なお、図４（ａ）に示すように、封筒Ｐ３には、透明性を有するフィルムＦが取り付けられた窓部Ｐ３ａが備えられている。
【００４８】
例えば、図４（ａ）に示すように、窓部Ｐ３ａが四角形の場合、窓位置取得部１５ａは、図４（ｂ）に示すように、内容物用紙Ｐ１における窓領域Ｐ１ａの４つの角部の座標値を含む窓位置データを取得する。
【００４９】
ステップＳ１２において、画像取得部１５ｂが、内容物用紙Ｐ１に記載する画像を示す画像データを記憶部１２から取得する。具体的に、画像取得部１５ｂは、プリンタドライバとしての機能を備えており、内容物用紙Ｐ１に記載する画像を印刷用に変換した画像データを取得する。例えば、画像取得部１５ｂは、図４（ｂ）に示すような画像を示す画像データを取得する。なお、図４（ｂ）では、窓領域Ｐ１ａに位置する窓部画像Ｓａとして、宛先となる画像が例示されている。
【００５０】
ステップＳ１３において、印刷画像生成部１５ｃは、画像データに示される画像において窓領域Ｐ１ａに位置する窓部画像Ｓａのコントラストを増加させた印刷画像データを生成する。
【００５１】
具体的に、図４（ｂ）に示すように、印刷画像生成部１５ｃは、窓位置データに基づいて、画像データに示される画像のうち、窓領域Ｐ１ａに位置する窓部画像Ｓａを特定する。そして、印刷画像生成部１５ｃは、特定した窓部画像Ｓａのコントラストを増加させた窓部画像Ｓｂを含む内容物用紙Ｐ１全体の印刷画像を生成する。
【００５２】
ここで、端末装置１０と印刷装置２０では、図５に示すように、コントラストレベル１〜ｎとドロップ数Ｄ１〜Ｄｎとの関係が規定され、それぞれの装置において予め記憶されている。なお、コントラストレベル１〜ｎは、ドロップ数Ｄ１〜Ｄｎの大きさを識別する識別情報である。ドロップ数Ｄ１〜Ｄｎは、単位面積（例えば１インチ）当たりにドロップするインク滴の数を示す情報である。図５に示すように、コントラストレベル１〜ｎが高いほどドロップ数Ｄ１〜Ｄｎも多くなって、印刷濃度も濃くなるように規定されている。
【００５３】
例えば、端末装置１０おいて、画像データにおけるコントラストレベル１〜ｎは、プリンタドライバにより設定される。印刷画像生成部１５ｃは、プリンタドライバにより設定された印刷濃度をコントラストとし、当該印刷濃度を１段階濃くさせた印刷画像データを生成する。
【００５４】
具体的に、印刷画像生成部１５ｃは、画像データに示される画像の窓部画像Ｓａに設定されているコントラストレベル（例えば、“３”）を１つ増加させる（例えば、“４”）。そして、印刷画像生成部１５ｃは、１つ増加させたコントラストレベル（例えば、“４”）に設定した窓部画像Ｓｂを含む印刷画像を生成する。
【００５５】
これにより、印刷画像生成部１５ｃは、図４（ｃ）に示すように、コントラストを増加させた窓部画像Ｓｂ、すなわち、印刷濃度を濃くした窓部画像Ｓｂを含む印刷画像を示す印刷画像データを生成する。
【００５６】
なお、印刷画像生成部１５ｃは、画像データに示される画像のうち、窓領域Ｐ１ａ以外の領域の画像のコントラストについては、特に変更せずに印刷画像データを生成する。
【００５７】
そして、ステップＳ１４において、印刷画像生成部１５ｃは、入力操作部１３においてユーザからの印刷指示が入力されたか否かを判定する。具体的に、印刷画像生成部１５ｃは、図４（ｃ）の例に示すように、生成した印刷画像データを印刷した場合の印刷イメージと、窓領域Ｐ１ａの境界線（図４（ｃ）に示す点線）とを表示部１４に表示させるとともに、ユーザからの印刷指示が入力されたか否かを判定する。なお、印刷画像生成部１５ｃは、ユーザからの印刷指示が入力されない場合には（ステップＳ１４“Ｎｏ”）、ステップＳ１４の動作を繰り返す。
【００５８】
一方、ステップＳ１５において、印刷画像生成部１５ｃは、ユーザからの印刷指示が入力された場合（ステップＳ１４“Ｙｅｓ”）、生成した印刷画像データを含むジョブデータを印刷装置２０に送信する。
【００５９】
この後、印刷装置２０では、ジョブデータに基づいて、内容物用紙Ｐ１に印刷処理が実行される。そして、封入封緘装置３０では、封筒用紙Ｐ２から形成した封筒Ｐ３に内容物用紙Ｐ１を封入及び封緘する封入封緘処理がなされて、図６に示すように封書Ｐ４が完成する。
【００６０】
＜作用及び効果＞
以上のように、本発明の第１実施形態に係る端末装置１０では、窓位置取得部１５ａは、封筒Ｐ３の窓部Ｐ３ａに対向する内容物用紙Ｐ１の窓領域Ｐ１ａの位置を示す窓位置データを取得し、画像取得部１５ｂは、内容物に記載する画像を示す画像データを取得する。そして、印刷画像生成部１５ｃは、窓部Ｐ３ａに対向する窓領域Ｐ１ａに位置する窓部画像Ｓａのコントラスト（濃度差）を増加させた窓部画像Ｓｂを含む印刷画像データを生成する。
【００６１】
これにより、印刷画像データに基づいて印刷装置２０により印刷される印刷画像における窓部画像Ｓｂが強調されるため、封書において封筒の窓部から見える内容物用紙Ｐ１の印刷画像（窓部画像Ｓｂ）の視認性の低下を抑制することができる。
【００６２】
［変形例１］
次いで、本発明の第１実施形態に係る封書作製システム１の変形例１について説明する。
【００６３】
ここで、上述した第１実施形態では、印刷画像生成部１５ｃは、窓部画像Ｓａに設定されているコントラストレベルを１つ増加させた窓部画像Ｓｂを含む印刷画像データを生成していた。
【００６４】
変形例１では、印刷画像生成部１５ｃは、フィルムＦの厚さに応じて、コントラストレベルの増加量を変更するように構成されている。
【００６５】
具体的に、記憶部１２は、フィルムＦの厚さを示す厚さデータを予め記憶している。そして、上述したステップＳ１３において、印刷画像生成部１５ｃは、フィルムＦの厚さを示す厚さデータを取得するとともに、厚さデータに基づいて、窓部画像Ｓａのコントラストの増加量を変更させた印刷画像データを生成する。
【００６６】
例えば、印刷画像生成部１５ｃは、厚さデータの示すフィルムＦの厚さが閾値ＴＨ１以上である場合、窓部画像Ｓａに設定されていたコントラストレベル（例えば、“３”）から２つ増加させたコントラストレベル（例えば、“５”）に設定した窓部画像Ｓｂを含む印刷画像データを生成する。
【００６７】
一方、印刷画像生成部１５ｃは、厚さデータの示すフィルムＦの厚さが閾値ＴＨ１未満である場合、窓部画像Ｓａに設定されていたコントラストレベル（例えば、“３”）から１つ増加させたコントラストレベル（例えば、“４”）に設定した窓部画像Ｓｂを含む印刷画像データを生成する。
【００６８】
以上のように、変形例１に係る端末装置１０によれば、印刷画像生成部１５ｃは、フィルムＦの厚さデータに基づいて、窓部画像Ｓａのコントラスト（濃度差）の増加量を変更させた印刷画像を示す印刷画像データを生成する。これにより、例えば、フィルムＦの厚さが閾値ＴＨ１以上となるような厚い場合には、コントラストの増加量を大きくして、窓部画像Ｓａを一層強調することも可能であるため、厚いフィルムによって、封筒Ｐ３の窓部Ｐ３ａから見える内容物の印刷画像（窓部画像）の視認性が低下することをより確実に抑制できる。
【００６９】
また、変形例１に係る端末装置１０によれば、フィルムＦの厚さが閾値ＴＨ１未満となるような薄い場合には、コントラストの増加量を小さく設定することも可能であるため、内容物の印刷画像（窓部画像）のコントラストの増加量を不必要に大きくしてしまうことを防止できる。
【００７０】
なお、複数の閾値ＴＨ１〜ＴＨ２を予め設定しておき、印刷画像生成部１５ｃは、複数の閾値ＴＨ１〜ＴＨ２に基づいて、コントラストの増加量を変更させてもよい。例えば、印刷画像生成部１５ｃは、フィルムＦの厚さが閾値ＴＨ１よりも大きい閾値ＴＨ２以上である場合、窓部画像Ｓａに設定されているコントラストレベルを、３つ増加させたコントラストレベル（例えば、“６”）に設定した印刷画像を示す印刷画像データを生成してもよい。
【００７１】
［変形例２］
次いで、本発明の第１実施形態に係る端末装置１０の変形例２について説明する。
【００７２】
変形例２に係る端末装置１０では、画像取得部１５ｂは、内容物用紙Ｐ１において窓領域Ｐ１ａに記載される宛先を変更するように構成されている。
【００７３】
具体的に、図７に示すように、記憶部１２は、窓領域Ｐ１ａに記載される宛先（郵便番号、住所、会社名、担当者など）を示すレコードをリスト化した宛先リストを予め記憶する。
【００７４】
そして、上述したステップＳ１２において、画像取得部１５ｂは、宛先リストを表示部１４に表示する。また、ユーザが、入力操作部１３を用いて、宛先リストに含まれる所定のレコードを指定した場合、画像取得部１５ｂは、指定されたレコードを読み取って、読み取ったレコードを窓領域Ｐ１ａに置き換えた画像データを取得する。
【００７５】
以上のように、変形例２に係る端末装置１０によれば、画像取得部１５ｂは、宛先リストに記憶される宛先を窓領域Ｐ１ａに記載した画像データを取得できるため、宛先を入力する上での作業効率が高まる。
【００７６】
なお、画像取得部１５ｂは、ユーザからの指定が無くても、宛先リストに含まれるレコードを上から順番に読み取って、読み取ったレコードを窓領域Ｐ１ａに順次置き換えた画像データを順次取得してもよい。
【００７７】
［本発明のその他の実施形態］
以上、上述の実施形態を用いて本発明について詳細に説明したが、当業者にとっては、本発明が本明細書中に説明した実施形態に限定されるものではないということは明らかである。
【００７８】
例えば、上述した実施形態では、端末装置１０の端末制御部１５が、画像取得部１５ｂと窓位置取得部１５ａと印刷画像生成部１５ｃとを備えていたが、これに限定されるものではない。例えば、印刷装置２０の統括制御部１１８が、画像取得部１５ｂと窓位置取得部１５ａと印刷画像生成部１５ｃとを備えていてもよい。すなわち、印刷装置２０が、画像処理装置としての機能を備えていてもよい。
【００７９】
また、例えば、上述したステップＳ１１〜Ｓ１５の動作において、ステップＳ１１とＳ１２における動作は、いずれが先に実施されてもよい。また、ステップＳ１４の動作は、必ずしも実行しなくてもよい。すなわち、ステップＳ１３の後に、ステップＳ１５の動作を実行してもよい。
【００８０】
また、例えば、ステップＳ１４において、印刷画像生成部１５ｃは、ステップＳ１３で生成した印刷画像データを印刷した場合の印刷画像イメージと、窓領域Ｐ１ａの境界線（図４（ｃ）に点線）とを表示部１４に表示させていたが、更に、ユーザが、表示部１４に表示された印刷画像イメージを参照しながら、入力操作部１３を用いて印刷画像データを編集するように構成されてもよい。例えば、ユーザが入力操作部１３を用いて、窓領域Ｐ１ａに文字やイラストなどの画像を追加するように構成されてもよい。この場合、印刷画像生成部１５ｃは、窓領域Ｐ１ａに追加された文字やイラストを含む窓部画像のコントラストを増加させた印刷画像データを生成する。
【００８１】
また、例えば、上述した実施形態では、封筒Ｐ３において、一つの窓部Ｐ３ａが設けられている場合を例に挙げて説明したが、複数の窓部Ｐ３ａが設けられていてもよい。この場合、それぞれの窓部Ｐ３ａに対向する窓領域が規定され、印刷画像生成部１５ｃは、それぞれの窓領域に位置する窓部画像のコントラストを増加させた印刷画像データを生成する。
【００８２】
また、例えば、印刷画像生成部１５ｃは、画像データに示される画像を構成する部分画像（例えば、テキストボックスやイラスト等の個別に編集可能な画像）のなかに、窓領域Ｐ１ａの境界にまたがって配置された境界画像（部分画像）がある場合、すなわち、一部が窓領域Ｐ１ａ内にあり他部が窓領域Ｐ１ａ外にある境界画像（部分画像）が含まれる場合、当該境界画像の全体のコントラストも増加するように構成されてもよい。これにより、例えば、境界画像の一部のみのコントラストが増加されて、封筒Ｐ３から取り出された内容物用紙Ｐ１の印刷画像の見栄えが悪くなることを防止できる。
【００８３】
また、例えば、上述した実施形態では、印刷画像生成部１５ｃは、コントラストを増加させるために、黒色の印刷濃度を濃くした窓部画像を含む印刷画像を生成していたが、これに限定されない。例えば、印刷画像生成部１５ｃは、内容物用紙Ｐ１が白色以外の他色である場合、他色に対してコントラストを増加させるように選定した特定色（例えば、補色）によって表現した窓部画像を含む印刷画像データを生成してもよい。この場合、印刷画像生成部１５ｃは、内容物用紙Ｐ１の用紙色を検出する検出センサから、用紙色を取得し、この用紙色に対してコントラストを増加させるように選定した特定色によって表現した窓部画像を含む印刷画像データを生成してもよい。
【００８４】
また、例えば、上述した実施形態では、印刷装置２０は、インクジェット印刷装置である場合を例に挙げて説明したが、本発明は、これに限定されるものではない。例えば、印刷装置２０は、孔版印刷装置であってもよい。この場合、コントラストは、孔版マスターに形成する穿孔数によって調整される。
【００８５】
このように、本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００８６】
１…封書作製システム
１０…端末装置
１１…通信部
１２…記憶部
１３…入力操作部
１４…表示部
１５…端末制御部
１５ａ…窓位置取得部
１５ｂ…画像取得部
１５ｃ…印刷画像生成部
２０…印刷装置
３０…封入封緘装置
Ｐ１…内容物用紙
Ｐ３…封筒
Ｐ３ａ…窓部
Ｓａ…窓部画像
Ｓｂ…窓部画像
【図１】
2018072864.tif 000003
【図２】
2018072864.tif 000004
【図３】
2018072864.tif 000005
【図４】
2018072864.tif 000006
【図５】
2018072864.tif 000007
【図６】
2018072864.tif 000008
【図７】
2018072864.tif 000009